【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
医療用栓を患者に送達するための装置であって、
マガジンの長手方向軸の周囲に配置される複数のチャンバを画定するマガジンであって、前記複数のチャンバは、それぞれのチャンバ内に医療用栓を収納するように更に構成されている、マガジンと、
流体送達装置に結合されるように構成されている、近位ポートと、
患者と連通する内腔に結合されるように構成されている、遠位ポートと、を含む、装置。
【請求項２】
セレクタ及び前記マガジンが、互いに対して前記装置の前記長手方向軸を中心に回転するように構成されるよう、前記マガジンに結合されているセレクタを更に含み、前記セレクタは、前記マガジンの近位に配置されているチャネルを含み、
前記装置が、前記マガジンに対する前記セレクタの回転により、前記送達装置を、前記セレクタの前記チャネルの遠位端が前記複数のチャンバのうちの第１のチャンバの遠位端と軸方向に整列していない第１の構成から、前記チャネルの前記遠位端が前記第１のチャンバの前記近位端と軸方向に整列している第２の構成に遷移させるように構成されている、請求項１に記載の装置。
【請求項３】
前記セレクタから遠位に延在する回り止めであって、前記回り止めは、前記マガジンに対する前記セレクタの回転時に前記セレクタと一緒に回転するように構成されている、回り止めと、
前記マガジン内の複数の凹部であって、前記凹部は、前記マガジンの近位端に隣接して配置され、前記凹部は、前記回り止めを受容するように構成されている、複数の凹部と、を更に含み、
前記装置が、前記回り止めが前記複数の凹部のうちの隣接する凹部間に位置付けられているときよりも、前記回り止めが前記複数の凹部のうちの１つの凹部内に配置されたときに、前記回り止めの遠位先端が前記セレクタから更に延在するように構成されている、請求項２に記載の装置。
【請求項４】
前記マガジンと前記回り止め及び前記セレクタのうちの１つ又は両方との間の相互作用が、前記複数のチャンバのうちの１つのチャンバの近位端が前記セレクタの前記チャネルの前記遠位端と軸方向に整列していることを示す可聴及び／又は触覚フィードバックを提供する、請求項３に記載の装置。
【請求項５】
前記チャネルの前記遠位端が、前記装置が前記第１の構成にあるときに、前記マガジンを通って延在しない前記マガジンの空洞と整列している、請求項２〜４のいずれか一項に記載の装置。
【請求項６】
前記装置が前記第１の構成にあるときに、流体が前記チャネルを遠位に通過することにより、流体が前記マガジンの前記空洞内に入り、前記間隙内へ流れ、前記複数のチャンバのうちのそれぞれのチャンバに入るように、前記間隙が、前記マガジンの一部と前記セレクタの一部との間に配置されている、請求項５に記載の装置。
【請求項７】
前記マガジンの遠位に配置されたガイドを更に含み、前記複数のチャンバのそれぞれのチャンバは、前記マガジンの前記いずれかのチャンバを通過する流体が、前記ガイドの遠位端にある単一の開口部を通って前記装置を出るように、前記ガイドと流体連通している、請求項１〜６のいずれか一項に記載の装置。
【請求項８】
前記セレクタの前記チャネルの前記遠位端が、前記ガイドの前記遠位端にある前記単一の開口部と軸方向に整列していない、請求項７に記載の装置。
【請求項９】
前記装置が、前記第２の構成から、前記セレクタの前記チャネルの前記遠位端が、前記複数のチャンバのうちの第２のチャンバの近位端と軸方向に整列している第３の構成に遷移するように構成されている、請求項２〜８のいずれか一項に記載の装置。
【請求項１０】
前記セレクタが、前記マガジンの遠位に配置された第２のチャネルと、前記マガジンの近位に配置された前記チャネルと前記マガジンの遠位に配置された前記チャネルとの間に配置された接続領域と、を更に含み、前記セレクタが、前記セレクタと前記複数のチャンバのうちの１つのチャンバとの間の流体密封を容易にするための圧縮力を提供する、請求項２に記載の装置。
【請求項１１】
組成物又は医療用物品を患者に送達するための送達装置であって、
回転可能なマガジンであって、
前記回転可能なマガジンを通って延在する中央内腔と、
前記中央内腔の周囲に配置された複数のチャンバと、を画定する、回転可能なマガジンと、
近位チャネルと、遠位チャネルと、前記近位チャネルと前記遠位チャネルとの間に配置された接続領域と、を含むフレームと、
前記回転可能なマガジンの前記中央内腔を通って延在し、かつ前記フレームに結合されている、細長いシャフトと、を含み、
前記回転可能なマガジンの前記細長いシャフトを中心とした回転により、前記送達装置が、前記複数のチャンバのうちの第１のチャンバが前記近位チャネル及び前記遠位チャネルの両方と整列している第１の構成から、前記複数のチャンバのうちの第２のチャンバが前記近位チャネル及び前記遠位チャネルの両方と整列している第２の構成へ遷移する、送達装置。
【請求項１２】
前記遠位チャネル及び前記近位チャネルが互いに同一線上にあるが、接続領域とは同一線上にない、請求項１１に記載の送達装置。
【請求項１３】
前記フレームが、前記フレームと、前記回転可能なマガジンの前記複数のチャンバのうちの１つのチャンバとの間の流体密封を容易にするための圧縮力を提供する、請求項１１又は請求項１２に記載の送達装置。
【請求項１４】
それぞれのチャンバが、主チャネル及びバイパスチャネルを含み、前記バイパスチャネルは、前記主チャネルの周囲に流体流路を提供する、請求項１１〜１３のいずれか一項に記載の送達装置。
【請求項１５】
前記回転可能なマガジンが、前記細長いシャフトを中心に単一の方向にのみ回転可能である、請求項１１〜１４のいずれか一項に記載の送達装置。
【請求項１６】
前記フレームが、そこから延在する第１の複数のスポークを有する第１のハブと、そこから延在する第２の複数のスポークを有する第２のハブとを含み、それぞれのスポークは、チャンバと相互作用して前記チャンバから組成物が漏れ出ることを防止するように構成されているキャップに結合されている、請求項１１〜１５のいずれか一項に記載の送達装置。
【請求項１７】
前記送達装置が、
近位に方向付けられた流体の流れが前記チャンバを通過するときに、医療用栓を前記チャンバ内に維持するように、かつ、
遠位に方向付けられた流体の流れが前記チャンバを通過するときに、前記医療用栓の配備を許容するように、構造化されている、請求項１１〜１６のいずれか一項に記載の送達装置。
【請求項１８】
前記複数のチャンバのうちのそれぞれのチャンバ内に配置されたカートリッジを更に含み、それぞれのカートリッジは、前記カートリッジの近位端に隣接する肩部を画定し、前記肩部は、医療用栓に係合して、前記肩部の近位の前記医療用栓の動きを制限するように構成されている、請求項１１〜１７のいずれか一項に記載の送達装置。
【請求項１９】
第１の長さを有する第１の医療用栓が、前記第１のチャンバ内に配置され、第２の長さを有する第２の医療用栓が、前記第２のチャンバ内に配置され、前記第１の長さは前記第２の長さと異なる、請求項１１〜１８のいずれか一項に記載の送達装置。
【請求項２０】
前記複数のチャンバのうちのそれぞれのチャンバに薬剤が予め装填されている、請求項１１〜１６のいずれか一項に記載の送達装置。